(57)【特許請求の範囲】
【請求項１】
ベース板と、前記ベース板の一面側に配置され画像を表示する表示面を有する表示パネルと、を備えた表示モジュールにおいて、
前記ベース板の端部側に設けられた回路基板と、
前記ベース板と前記回路基板とを跨るように覆うカバーと、
前記ベース板に取り付けられ前記表示モジュールを他の部材に固定する固定具と、を備え、
前記カバーは、一部の領域が前記回路基板に対応する位置にある高段部と、前記高段部より前記ベース板に近く、かつ前記ベース板に対応する位置にある低段部と、を有し、
前記固定具は、前記低段部を底面とし前記低段部及び前記高段部との段差を高さとして規定される空間内に進入して前記ベース板に取り付けられていることを特徴とする表示モジュール。
【請求項２】
ベース板と、前記ベース板の一面側に配置され画像を表示する表示面を有する液晶パネルと、を備えた表示モジュールにおいて、
前記ベース板と前記液晶パネルとの間に並列配置され、端部側に電極を有する複数の光源と、
前記ベース板の他面側において前記電極に対応する位置よりも内側に配設され、前記複数の光源に電圧を付与する回路を搭載した基板と、
一端が前記複数の光源の各電極と接続されると共に前記一面側に引き出され、他端が前記回路に接続された複数のワイヤと、
前記基板の少なくとも前記電極側と前記ワイヤと前記ベース板の前記電極に対応する位置を覆うカバーと、をさらに備え、
前記カバーは、
前記基板の少なくとも前記電極側に対応した高段部と、前記ベース板の前記電極に対応する位置を含む範囲に対応し前記高段部より前記ベース板に近い位置にある低段部と、を有し、
前記高段部と前記低段部とを繋ぐ段差部が、前記ワイヤの延在する範囲に位置して成ることを特徴とする表示モジュール。
【請求項３】
請求項１記載の表示モジュールを、その表示面を外部に露出する開口窓を有する前記他の部材である枠状筐体に固定するための表示モジュールの固定構造であって、
前記枠状筐体は、その内面において内方に突出するリブを有し、
前記固定具は、基部と、前記基部から折り曲げられると共に切り込み部が形成された曲げ部と、を有し、
前記切り込み部を前記リブに係合し、前記基部を、前記カバーの前記低段部を挟みつつ前記ベース板に固定して、前記表示モジュールを前記枠状筐体に固定することを特徴とする表示モジュールの固定構造。
【請求項４】
請求項２記載の表示モジュールを、その表示面を外部に露出する開口窓を有する枠状筐体に固定するための表示モジュールの固定構造であって、
前記枠状筐体は、その内面において内方に突出するリブを有し、
基部と、この基部から折り曲げられると共に切り込み部が形成された曲げ部と、を有する固定具を用い、
前記切り込み部を前記リブに係合し、前記基部を、前記カバーの前記低段部を挟みつつ前記ベース板に固定して、当該表示モジュールを前記枠状筐体に固定することを特徴とする表示モジュールの固定構造。
【請求項５】
画像を表示する表示面を有する表示モジュールと、その表示モジュールを収納する前記他の部材である筐体と、を有する表示パネル部を備えた画像表示装置であって、
前記表示モジュールは、請求項１記載の表示モジュールであり、
前記固定具は、基部と、この基部から折り曲げられると共に切り込み部が形成された曲げ部と、を有し、
前記筐体は、前記表示面を外部に露出する開口窓を有する枠状筐体と一面が解放された扁平の箱状筐体とが組み合わされて成ると共に、前記枠状筐体は、その内面において内方に突出するリブを有し、
前記固定具における前記切り込み部が前記リブに係合し、前記基部が前記カバーの前記低段部を挟みつつ前記ベース板に固定されて、前記表示モジュールが前記枠状筐体に固定される一方、前記箱状筐体が前記固定具の基部に固定されて、前記表示モジュールが前記筐体に収納されていることを特徴とする画像表示装置。
【請求項６】
画像を表示する表示面を有する表示モジュールと、その表示モジュールを収納する筐体と、を有する表示パネル部を備えた画像表示装置であって、
前記表示モジュールは、請求項２記載の表示モジュールであり、
基部と、この基部から折り曲げられると共に切り込み部が形成された曲げ部と、を有する固定具を備え、
前記筐体は、前記表示面を外部に露出する開口窓を有する枠状筐体と一面が解放された扁平の箱状筐体とが組み合わされて成ると共に、前記枠状筐体は、その内面において内方に突出するリブを有し、
前記固定具における前記切り込み部が前記リブに係合し、前記基部が前記カバーの前記低段部を挟みつつ前記ベース板に固定されて、前記表示モジュールが前記枠状筐体に固定される一方、前記箱状筐体が前記固定具の基部に固定されて、前記表示モジュールが前記筐体に収納されていることを特徴とする画像表示装置。
【発明の詳細な説明】
【技術分野】
【０００１】
本発明は、画像表示装置における画像表示パネルの薄型化と狭額縁化とを両立する表示モジュール、表示モジュールの固定構造、及び画像表示装置に関する。
【背景技術】
【０００２】
近年、液晶などの表示モジュールを用いて画像を表示する画像表示装置（例えば、ディスプレイ装置やテレビジョン装置など）が、急速に普及してきた。
通常、画像表示装置は、表示モジュール及びその表示モジュールの画像表示面を外部から視認できるように露出させて内部に収納した筐体を有する表示パネル部と、表示パネル部を首振りなどが可能なように支持する台座部と、を備えて構成されている。
表示モジュールに液晶を用いた場合はバックライトが必要となり、そのバックライト光源として、例えば、冷陰極線管（ＣＣＦＬ）や外部電極蛍光管（ＥＥＦＬ）などの線状光源が使用される。
【０００３】
このような画像表示装置においては、表示パネル部の筐体と表示モジュールとを一体的に固定する構造として、筐体に設けられたボスへのネジ止めを利用する構造や、ネジを使わずに筐体に設けられたリブに表示モジュールに取り付けられた固定金具を係止させる構造などが知られている。
前者は、例えば特許文献１に開示され、後者は、例えば特許文献２に開示されている。
【０００４】
【特許文献１】特開２０００−３０５０６８号公報
【特許文献２】特開２００３−１４０１１７号公報
【発明の開示】
【発明が解決しようとする課題】
【０００５】
ところで、画像表示装置が普及するに伴い、その表示パネル部の厚みをできるだけ薄くする薄型化と、表示パネル部の表示面を囲う外枠（額縁部）をできるだけ狭く（細く）する狭額縁化と、を求める市場要望が強くなっており、それらを実現した画像表示装置の提供が常に期待されている。
特に、額縁部の内の、台座部側以外の３辺（左側，右側，及び天側）については、外観デザイン上、狭額縁化の効果が顕著であるので、特に強く望まれている。
【０００６】
しかしながら、上述したボスへのネジ止めを利用する構造は、筐体においてボスを設けるスペースが表示モジュールの外側周囲に必要となるので、少なくとも狭額縁化について限界がある。
【０００７】
また、筐体に設けられたリブに固定金具を係止させる構造は、狭額縁化に対して有利であるが、固定金具を狭額縁化のために表示モジュールに対し厚さ方向に重ねて配置するとその板厚分の厚さが増してしまうので、薄型化に対しては不利となる。特に、液晶を用いた場合、光源に電力を供給するためのインバータ回路などの回路を搭載した基板が、表示画面の左右の両端部側において表示モジュールの縁部に沿うように配設されている場合には、薄型化は極めて難しい。
【０００８】
図１６を用い、この従来技術について模式的に説明する。
図１６は、従来の液晶を用いた表示モジュール１０１（以下、液晶モジュール１０１とも称する）を、その背面側上方から斜視的に見た模式図である。
【０００９】
液晶モジュール１０１には、ベース板１０４に対する表示面（正面）側（図１６の反対面側）に、バックライト光源として複数のＣＣＦＬ１０２が水平方向（図１６のＨ方向）を長手として並列配置されている。
さらに、液晶モジュール１０１は、ベース板１０４の背面側における左右端側に配設され、ＣＣＦＬ１０２の両端部に設けられている電極１０２ａに対して図示しないＣＣＦＬワイヤを介して電圧を付与するインバータ基板１０３を有している。
従って、液晶モジュール１０１の左右の両端部側は、インバータ基板１０３が存在して、その分、厚くなっているため、特に薄型化が難しい部分となっている。
尚、ＣＣＦＬワイヤは、ＣＣＦＬ１０２を安定して駆動するため電極１０２ａとインバータ基板１０３との間に最短距離で引き回されるのが一般的である。
【００１０】
そこで、本発明が解決しようとする課題は、表示モジュールの端部側に基板を備えていても、表示パネル部の薄型化と狭額縁化とを両立して実現可能な表示モジュール、表示モジュールの固定構造、及び画像表示装置を提供することにある。
【課題を解決するための手段】
【００１１】
上記の課題を解決するために、本願発明は手段として次の１）〜６）の構成を有する。
１）  ベース板（１ｂ）と、前記ベース板（１ｂ）の一面側に配置され画像を表示する表示面（１ａ）を有する表示パネル（１２）と、を備えた表示モジュールにおいて、前記ベース板（１ｂ）の端部側に設けられた回路基板（１ｄ）と、前記ベース板（１ｂ）と前記回路基板（１ｄ）とを跨るように覆うカバー（１ｅ）と、前記ベース板（１ｂ）に取り付けられ前記表示モジュール（１）を他の部材（２）に固定する固定具（５）と、を備え、前記カバー（１ｅ）は、一部の領域が前記回路基板（１ｄ）に対応する位置にある高段部（１ｅ１）と、前記高段部（１ｅ１）より前記ベース板（１ｂ）に近く、かつ前記ベース板（１ｂ）に対応する位置にある低段部（１ｅ２）と、を有し、前記固定具（５）は、前記低段部（１ｅ２）を底面とし前記低段部（１ｅ２）及び前記高段部（１ｅ１）との段差を高さとして規定される空間（ＫＳ）内に進入して前記ベース板（１ｂ）に取り
付けられていることを特徴とする表示モジュール（１）である。
２）  ベース板（１ｂ）と、前記ベース板（１ｂ）の一面側に配置され画像を表示する表示面を有する液晶パネル（１２）と、を備えた表示モジュールにおいて、前記ベース板（１ｂ）と前記液晶パネル（１２）との間に並列配置され、端部側に電極（１ｃ１）を有する複数の光源（１ｃ）と、前記ベース板（１ｂ）の他面側において前記電極（１ｃ１）に対応する位置よりも内側に配設され、前記複数の光源（１ｃ）に電圧を付与する回路を搭載した基板（１ｄ）と、一端が前記複数の光源（１ｃ）の各電極（１ｃ１）と接続されると共に前記一面側に引き出され、他端が前記回路に接続された複数のワイヤ（１ｇ）と、前記基板（１ｄ）の少なくとも前記電極側と前記ワイヤ（１ｇ）と前記ベース板（１ｂ）の前記電極（１ｃ１）に対応する位置を覆うカバー（１ｅ）と、をさらに備え、前記カバーは、前記基板（１ｄ）の少なくとも前記電極（１ｃ１）側に対応した高段部（１ｅ１）と、前記ベース板（１ｂ）の前記電極（１ｃ１）に対応する位置を含む範囲に対応し前記高段部（１ｅ１）より前記ベース板（１ｂ）に近い位置にある低段部（１ｅ２）と、を有し、前記高段部（１ｅ１）と前記低段部（１ｅ２）とを繋ぐ段差部（１ｅ３）が、前記ワイヤ（１ｇ）の延在する範囲に位置して成ることを特徴とする表示モジュール（１）である。
３）  １）に記載の表示モジュール（１）を、その表示面（１ａ）を外部に露出する開口窓（２ａ）を有する前記他の部材である枠状筐体（２）に固定するための表示モジュールの固定構造であって、前記枠状筐体（２）は、その内面（２ｅ１）において内方に突出するリブ（２ｄ）を有し、前記固定具（５）は、基部（５ａ）と、前記基部（５ａ）から折り曲げられると共に切り込み部（５ｄ）が形成された曲げ部（５ｃ）と、を有し、前記切り込み部（５ｄ）を前記リブに係合し、前記基部（５ａ）を、前記カバー（１ｅ）の前記低段部（１ｅ２）を挟みつつ前記ベース板（１ｂ）に固定して、前記表示モジュール（１）を前記枠状筐体（２）に固定することを特徴とする表示モジュールの固定構造である。
４）  ２）に記載の表示モジュール（１）を、その表示面（１ａ）を外部に露出する開口窓（２ａ）を有する枠状筐体（２）に固定するための表示モジュールの固定構造であって、前記枠状筐体（２）は、その内面（２ｅ１）において内方に突出するリブ（２ｄ）を有し、基部（５ａ）と、この基部（５ａ）から折り曲げられると共に切り込み部（５ｄ）が形成された曲げ部（５ｃ）と、を有する固定具（５）を用い、前記切り込み部（５ｄ）を前記リブに係合し、前記基部（５ａ）を、前記カバー（１ｅ）の前記低段部（１ｅ２）を挟みつつ前記ベース板（１ｂ）に固定して、当該表示モジュール（１）を前記枠状筐体（２）に固定することを特徴とする表示モジュールの固定構造である。
５）  画像を表示する表示面面（１ａ）を有する表示モジュール（１）と、その表示モジュール（１）を収納する前記他の部材である筐体（４）と、を有する表示パネル部（５０Ａ）を備えた画像表示装置であって、前記表示モジュール（１）は、１）に記載の表示モジュール（１）であり、前記固定具（５）は、基部（５ａ）と、この基部（５ａ）から折り曲げられると共に切り込み部が形成された曲げ部（５ｃ）と、を有し、前記筐体（４）は、前記表示面（１ａ）を外部に露出する開口窓（２ａ）を有する枠状筐体（２）と一面が解放された扁平の箱状筐体（３）とが組み合わされて成ると共に、前記枠状筐体（２）は、その内面（２ｅ１）において内方に突出するリブ（２ｄ）を有し、前記固定具（５）における前記切り込み部（５ｄ）が前記リブ（２ｄ）に係合し、前記基部（５ａ）が前記カバー（１ｅ）の前記低段部（１ｅ２）を挟みつつ前記ベース板（１ｂ）に固定されて、前記表示モジュール（１）が前記枠状筐体（２）に固定される一方、前記箱状筐体（３）が前記固定具（５）の基部（５ａ）に固定されて、前記表示モジュール（１）が前記筐体（４）に収納されていることを特徴とする画像表示装置（５０）である。
６）  画像を表示する表示面（１ａ）を有する表示モジュール（１）と、その表示モジュール（１）を収納する筐体（４）と、を有する表示パネル部（５０Ａ）を備えた画像表示装置であって、前記表示モジュール（１）は、２）に記載の表示モジュール（１）であり、基部（５ａ）と、この基部（５ａ）から折り曲げられると共に切り込み部（５ｄ）が形成された曲げ部（５ｃ）と、を有する固定具（５）を備え、前記筐体（４）は、前記表示面（１ａ）を外部に露出する開口窓（２ａ）を有する枠状筐体（２）と一面が解放された扁平の箱状筐体（３）とが組み合わされて成ると共に、前記枠状筐体（２）は、その内面（２ｅ１）において内方に突出するリブ（２ｄ）を有し、前記固定具（５）における前記切り込み部（５ｄ）が前記リブ（２ｄ）に係合し、前記基部（５ａ）が前記カバー（１ｅ）の前記低段部（１ｅ２）を挟みつつ前記ベース板（１ｂ）に固定されて、前記表示モジュール（１）が前記枠状筐体（２）に固定される一方、前記箱状筐体（３）が前記固定具（５）の基部（５ａ）に固定されて、前記表示モジュール（１）が前記筐体（４）に収納されていることを特徴とする画像表示装置（５０）である。
【発明の効果】
【００１２】
本発明によれば、表示モジュールの端部側に基板を備えていても、表示パネル部の薄型化と狭額縁化とが両立して実現可能になる、という効果を奏する。
【発明を実施するための最良の形態】
【００１３】
本発明の実施の形態を、好ましい実施例により図１〜図１５を用いて説明する。
【００１４】
図１は、本発明の画像表示装置の実施例を示す外観斜視図である。
図１（ａ）は、その背面側上方から見た斜視図であり、図１（ｂ）は、その正面側上方から見た斜視図である。
【００１５】
この実施例の画像表示装置５０は、テレビジョン装置である。画面サイズが４６型の場合について説明する。また、表示モジュールとして液晶モジュールを用いた例を説明する。
【００１６】
図１において、画像表示装置５０は、内部に表示モジュールとして液晶モジュール１を収納した表示パネル部５０Ａと、この表示パネル５０Ａを、所定角度範囲内で上下方向及び左右方向の首振り動作が可能なように支持する台座部５０Ｂと、を有して構成されている。
表示パネル５０Ａは、正面側のフロントカバー（以下、Ｆカバーと称する）２と背面側のリアカバー（以下、Ｒカバーと称する）３とが組み合わされてなる筐体４を有している。
Ｆカバー２は枠状であり、Ｒカバー３は一面が解放された扁平の箱状である。
筐体４の内部に、後述する固定構造により液晶モジュール１が固定されている。
【００１７】
図１（ａ）に示すように、Ｒカバー３には、その中央部付近において背面側に突出する突出部３ａが形成されている。
この突出部３ａの内部には、このテレビジョン装置５０の信号処理等の回路を搭載した基板や電源部など（図示せず）が収納される。
以降、Ｒカバー３の背面側表面における突出部３ａ以外の部分を基準背面部３ｂと称する。この基準背面部３ｂの面を基準背面３ｂｆとする。
【００１８】
また、図１（ｂ）に示すように、Ｆカバー２には、液晶モジュールの画像表示面１ａを露出させる開口窓２ａが形成されている。この開口部２ａを囲む枠部を額縁部２ｃと称する。
以降、Ｆカバー２の正面側表面を基準正面２ｂと称する。
【００１９】
ここで、図１（ａ）に示すように、筐体４における、表示パネル部５０Ａの突出部３ａ以外の部分である基準背面部３ｂの厚さをＴＫとする。
すなわち、厚さＴＫは、基準正面２ｂと基準背面３ｂｆとの距離となる。
【００２０】
また、図１（ｂ）に示すように、Ｆカバー２の上面及び左右両側面と開口窓２ａとの間の距離（幅）を、それぞれＷＴ，ＷＬ，ＷＲとする。
すなわち、厚さＴＫを小さくすることが薄型化することであり、各幅ＷＴ，ＷＬ，ＷＲを小さくすることが狭額縁化することになる。
【００２１】
図２は、表示パネル部５０Ａの内部構成を説明するための分解斜視図である。
この図２を用いて、表示パネル部５０Ａの組み立て方法について概略を説明する。
【００２２】
液晶モジュール１に対し、左右の各側部に短ブラケット５を２個ずつ、各辺に沿って所定量スライドさせてＦカバー２のリブ（詳細は後述する）に係合させた後、雄ねじＳ５により液晶モジュール１に固定する。
同様に、上側部に長ブラケット６を２個、上辺に沿って所定量スライドさせてＦカバー２のリブ（詳細は後述する）に係合させた後、雄ねじＳ６により液晶モジュール１に固定する。
さらに、上側の両隅部には、一対の角ブラケット７をそれぞれ左右の辺に沿って上方に所定量スライドさせて、Ｆカバー２の左右側のリブ及び天側のリブ（詳細は後述する）に係合させた後、それぞれ雄ねじＳ７により固定する。
【００２３】
具体的には、液晶モジュール１をＦパネル２に対しＦパネル２の背面側から収め、固定具である短ブラケット５，長ブラケット６，及び角ブラケット７を、Ｆパネル２の額縁部２ｃの側部２ｅ及び天部２ｆの内面において内側に向かって突出するよう設けた複数のリブ（この図２に図示せず）にスライドさせて係止させる。
このリブは、内スライド構造を有する金型を用い射出成形で形成することができる。
【００２４】
次いで、雄ねじＳ５〜Ｓ７により各ブラケットを共締めして、液晶モジュール１とＦパネル２とを一体的に固定する。
各ブラケット５〜７のスライド構造の詳細については後述する。
各ブラケット５〜７には雌ねじ（図示せず）が形成されているので、この雌ねじに対しＲカバー３を雄ねじＳ３により共締めすることで、液晶モジュール１とＲカバー３とが一体的に固定される。
【００２５】
この構造によれば、雄ねじＳ３，Ｓ５，Ｓ６，Ｓ７の打ち込み方向はすべて背面から正面へ向かう方向に統一されるので、組み立て作業の効率が向上する。
また、Ｆカバー２の外観面に雄ねじは露出せず、Ｒカバー３においても、雄ねじは背面側に露出するのみである。
従って、この画像表示装置５０の外観品位は極めて高いものになる。
【００２６】
上述した構造における主要部材について具体的に説明する。
【００２７】
図３は、短ブラケット５を説明するための斜視図である。
この短ブラケット５は、金属の板材をプレス加工して形成されており、略矩形の基部５ａと、この基部５ａの一長辺に連接した２段曲げ部５ｂ，５ｃと、を有している。
【００２８】
２段曲げ部５ｂ，５ｃにおける第１曲げ部５ｂは、基部５ａに対して約４５°の角度となるように傾斜して形成され、
第２曲げ部５ｃは、基部５ａに対して約９０°の角度となるように形成されている。優角で詳細に言うならば、基部５ａに対する優角θが、約２７０°＋α°（α＝正数）の角度
となるように形成されている。
このα°は、額縁部２ｃの側部２ｅの内面２ｅ１の傾斜角度でもある（図１０参照：図１０におけるＶは表示面１ａに対する垂線である）。
図３において、第１曲げ部５ｂ及び第２曲げ部５ｃの長手方向の両端部には、両曲げ部に跨るようにスリット５ｄが形成されている。
このスリット５ｄは、Ｆカバー２に設けられたリブ２ｄ（図１２参照：詳細は後述する）に係合するように形成されている。
【００２９】
基部５ａの中央部には、２段曲げ部５ｂ，５ｃとは反対方向に突出した突き出し部５ａ１が形成され、その突き出し部５ａ１には、雌ねじ５ａ２が設けられている。
また突き出し部５ａ１の脇には、長辺に沿って開口する長孔５ｅが形成されている。
基部５ａには、突き出し部５ａ１を挟んで一対の貫通孔５ａ３が設けられている。
【００３０】
図４は、長ブラケット６を説明するための斜視図である。
この長ブラケット６は、金属の板材をプレス加工して形成されており、略矩形の基部６ａと、この基部６ａの一長辺に連接した２段曲げ部６ｂ，６ｃと、を有している。
【００３１】
第１曲げ部６ｂは、基部６ａに対して約４５°の角度となるように傾斜して形成されている。
第２曲げ部６ｃは、第１曲げ部６ｂの両端側からそれぞれ延出する一対の曲げ部であり、基部６ａに対して約９０°の角度となるように形成されている。
優角で詳細に言うならば、基部６ａに対する優角θが、約２７０°＋β°（β＝正数）の角度となるように形成されている。
このβ°は、額縁部２ｃの天部２ｆの内面の傾斜角度でもある。
第１曲げ部６ｂ及び一方の第２曲げ部６ｃ１には、両曲げ部６ｂ，６ｃに跨るように切り込まれたスリット６ｄ１が形成されている。
また、他方の第２曲げ部６ｃ２は、第１曲げ部６ｂの一方の端面６ｂｔから外方に突出する舌片部６ｃ３が設けられている。
【００３２】
スリット６ｄ１及び舌片部６ｃ３は、Ｆカバー２の額縁部２ｃの天部２ｆに設けられたリブ２ｆ５及びリブ２ｆ６にそれぞれ係合するように形成されている（図１３参照：詳細は後述する）。
【００３３】
基部６ａには、雌ねじ６ａ２が設けられている。
また、基部６ｅには長辺に沿って開口する長孔６ｅが形成されている。
また、基部６ｅには長孔６ｅの長手方向に離隔して一対の貫通孔６ａ３が設けられている。
【００３４】
図５は、角ブラケット７を説明するための斜視図である。
この角ブラケット７は、金属の板材をプレス加工して形成されており、略矩形の基部７ａと、この基部７ａの一長辺に連接した２段曲げ部７ｂ，７ｃと、一短辺に連接して２段曲げ部７ｂ，７ｃと同じ側に曲げられた３段曲げ部７ｆ，７ｇ，７ｈとを有している。
２段曲げ部７ｂ，７ｃは、第１曲げ部７ｂと第２曲げ部７ｃとを有して形成されている。
第１曲げ部７ｂは、基部７ａに対して約４５°の角度となるように傾斜して形成され、第２曲げ部７ｃは、基部７ａに対して約９０°の角度となるように形成されている。優角で詳細に言うならば、基部７ａに対する優角θが、約２７０°＋β°（β＝正数）の角度となるように形成されている。
このβ°は、額縁部２ｃの天部２ｆの内面の傾斜角度でもある。
【００３５】
第１曲げ部７ｂ及び第２曲げ部７ｃの一短辺側の端部には、両曲げ部に跨るように切り込まれたスリット７ｄが形成されている。
このスリット７ｄは、Ｆカバー２の額縁部２ｃの側辺部に設けられたリブ２ｄ２（図１４参照：詳細は後述する）に係合するように形成されている。
【００３６】
３段曲げ部７ｆ，７ｇ，７ｈは、第３曲げ部７ｆ，第４曲げ部７ｇ，及び第５曲げ部７ｈを有して形成されている。
第３曲げ部７ｆは、基部７ａに対して約４５°の角度となるように傾斜して形成され、第４曲げ部７ｇは、基部７ａに対して約９０°の角度となるように形成され、第５曲げ部７ｈは、基部７ａに対して平行となるように外方に向け折り曲げられて形成されている。
【００３７】
また、第４曲げ部７ｇと第５曲げ部７ｈとに跨って、スリット７ｉが形成されている。
このスリット７ｉは、Ｆカバー２の額縁部２ｃの上辺部に設けられたリブ２ｆ１（図１５参照：詳細は後述する）に係合するように形成されている。
【００３８】
基部７ａには、２段曲げ部７ｂ，７ｃ及び３段曲げ部７ｆ，７ｇ，７ｈとは反対方向に突出した突き出し部７ａ１が形成され、その突き出し部７ａ１には、雌ねじ７ａ２が設けられている。
また突き出し部７ａ１の脇には、長辺に沿って開口する長孔７ｅが形成されている。
また、基部７ａには、貫通孔７ａ３が設けられている。
【００３９】
次に、図６〜図１４を用いて液晶モジュール１について説明する。
図６は液晶モジュール１を示す斜視図であり、図７は図６における台座部１ｆを説明するための部分拡大図であり、図８は液晶モジュール１の要部材である保護カバー１ｅを示す斜視図であり、図９は図６におけるＳ１−Ｓ１位置における表示パネル部５０Ａ全体の断面図〔図１（ａ）参照〕であり、液晶モジュール１以外の部材も示されているものである。
図１０は、図９に相当する断面図であるが、図９に示される構成の各部材の形状において異なる部分がある変形例である。
【００４０】
図６において、液晶モジュール１は、金属板金よりなるベース板１ｂと、このベース板１ｂの正面側に、左右方向（図６のＨ方向）を長手として並列配置した複数の陰極線管１ｃ（以下、ＣＣＦＬ１ｃと称する：図１及び図９参照。図６には図示せず）と、背面側における左右方向の両端部側に配設された一対の基板１ｄ（この実施例ではインバータ基板１ｄ）と、このインバータ基板１ｄをそれぞれ覆って保護する一対の樹脂よりなる保護カバー１ｅと、ＣＣＦＬ１ｃの前面側に配設した光拡散パネルアッセンブリ１１及び液晶表示パネル１２（いずれも図１０に符号で指示）と、を有している。
インバータ基板１ｄは、図示しない雄ねじによりベース板１ｂにねじ止めされている。
また、インバータ基板１ｄには、ＣＣＦＬ１ｃに電圧を付与するインバータ回路１ｄｋが搭載されている。
また、ベース板１ｂ自体は、枠状のフレーム１ｊの内側に収納されフレーム１ｊに固定されている。
保護カバー１ｅは、インバータ基板１ｄが損傷しないよう保護すると共に絶縁を確保する機能を有する。
この保護カバー１ｅは、サービスやメインテナンスの際に高圧部に触れないようにするために、また、液晶モジュール１自体が商品として流通運搬される場合の損傷防止のために、設けられている。
後述するように、保護カバー１ｅにおけるトランス１ｄ１に対応する部分には、トランス１ｄ１を臨ませるための孔１ｅ９が形成されている。
【００４１】
図９において、ＣＣＦＬ１ｃは、両端部に電極１ｃ１が設けられており、ベース板１ｂの長孔１ｂ１に係合して固定されたゴムスペーサ１ｈを介して支持されている。
そして、その電極１ｃ１とインバータ基板１ｄの端部側に配設されたコネクタ１ｉとが柔軟なＣＣＦＬワイヤ１ｇで接続されている。
【００４２】
図１１は、短ブラケット５の固定構造を説明するための平面図であるが、このＣＣＦＬワイヤ１ｇによる接続を示す平面図と共に記載されている。
【００４３】
すなわち、図１１において、ベース板１ｂ上には、長孔１ｂ１が額縁部２ｃの左右の辺それぞれに沿う長手を有して形成されている。この長孔１ｂ１を通してゴムスペーサ１ｈを臨むことができる。
また、ゴムスペーサ１ｈには一対のワイヤサポータ１ｈ１が突出して形成されている。
このワイヤサポータ１ｈ１は、長孔１ｂ１の端部を挟みこむようにして貫通すると共にベース板１ｂの背面側に突出しており、これによりゴムスペーサ１ｈはベース板１ｂに固定されている。
突出した一対のワイヤサポータ１ｈ１のそれぞれからは、ＣＣＦＬワイヤ１ｇが引き出されている。
【００４４】
図６において、ベース板１ｂの上方側には、背面側に突出した台座部１ｆが４箇所、絞り加工により形成されている。
【００４５】
図７はこの台座部１ｆの拡大図である。この台座部１ｆには、ダボ１ｆ１と雌ねじ１ｆ２が設けられている。
このダボ１ｆ１が長ブラケット６の長孔６ｅと係合して長ブラケット６の長辺に沿ったスライドを可能とし、このスライド動作によりスリット６ｄ１及び舌片部６ｃ３をＦカバー２のリブに係合可能とされる。そして、この係合の後、雄ねじＳ６を貫通孔６ａ３に挿通して雌ねじ１ｆ２に螺合させることにより、長ブラケット６はベース板１ｂに対して固定される。
【００４６】
図６において、インバータ基板１ｄには、ＣＣＦＬ１ｃに高電圧を付与するためのトランス１ｄ１がＣＣＦＬ１ｃの数に対応した数だけ配設されている。
このトランス１ｄ１は、インバータ基板１ｄに実装されている他の部品よりも際立って高さが高いので、保護カバー１ｅに各トランス１ｄ１を挿通する複数の孔１ｅ９を設けて、液晶パネル部５０Ａの厚さＴＫ（図１参照）を抑制している。
【００４７】
図８に保護カバー１ｅの全体斜視図を示す。
図８において、保護カバー１ｅは、概ね長方形の平板状であって、一方の長辺１ｅｔ側に段差部１ｅ３を有して形成されている。
以下、図９も用いて保護カバー１ｅの詳細を説明する。
【００４８】
図８及び図９において、保護カバー１ｅは、インバータ基板１ｄに対応する部位を含む範囲ＡＲ１である高段部１ｅ１と、その外側（長辺１ｅｔ側）であって、ワイヤサポータ１ｈ１と対応する部位を含む範囲ＡＲ２である低段部１ｅ２と、の２段形状を有する。低段部１ｅ２は、高段部１ｅ１よりもベース板１ｂに近い位置にある。
低段部１ｅ２には、長手方向に互いに離隔して複数個のダボ１ｅ４が形成されている（図９及び図１０も参照）。
【００４９】
各範囲ＡＲ１，ＡＲ２の境界となる段差部１ｅ３は、ちょうど、インバータ基板１ｄの縁部１ｄ２よりも外側（図９の左方側）のＣＣＦＬワイヤ１ｇが延在する範囲ＡＲ３に位置するように設定されている。
ＣＣＦＬ１ｇは屈曲性を有しているので、これにより、段差部１ｅ３に沿って屈曲配置させることができ、空間の利用効率が向上する。
ここで、ＣＣＦＬワイヤ１ｇのインバータ基板１ｅ側の端部位置が、その基板１ｅの縁部１ｄ２よりも内側に有る場合（図１０に示す例）には、保護カバー１ｅと基板１ｅとの干渉を、余裕をもって回避するために、段差部１ｅ３は、縁部１ｄ２までの範囲ＡＲ３１に位置するように設定されているとより良い。
この段差部１ｅ３の、厚さ方向（正面−背面方向）の段差の量をＤ４とする。
また、インバータ基板１ｄについては、その縁部１ｄ２が、液晶モジュール１の縁部であるフレーム１ｊの側面の左右方向位置Ｈ１よりも距離Ｄ１だけ内側の、位置Ｈ２となるように配設されている。
【００５０】
従って、繰り返しとなるが、保護カバー１ｅは、ワイヤサポータ１ｈ１の近傍領域に対応する範囲を含む低段部１ｅ２が、インバータ基板１ｅに対応する範囲を含む高段部１ｅ１よりもベース板１ｂに近くなるように配設されている。
これにより、低段部１ｅ２の背面側に、段差部１ｅ３の段差Ｄ４分となる空間ＫＳが形成される。
そして、この空間ＫＳに短ブラケット５の基部５ａが収められている。これにより、表示パネル部５０Ａの厚さＴＫに、短ブラケット５の厚さやその取り付け構造の影響が及ぶことを防止できている。
【００５１】
図１１は、短ブラケット５の固定構造を説明するための平面図である。
この図１１に示すように、短ブラケット５は、保護カバー１ｅに形成されたダボ１ｅ４に長孔５ｅが係合した状態で、上述のように長孔５ｅに沿った方
向（図の矢印Ｄｓ方向）にスライド可能とされている。
そして、図１２に示すように、そのスライド動作により、短ブラケット５は、そのスリット５ｄが、Ｆカバー２の額縁部２ｃにおける側部２ｅの内面において内方に突出するように形成されたリブ２ｄに係合し、正面−背面方向（厚さ方向）の位置が規制される。
【００５２】
スリット５ｄをリブ２ｄに係合させたら、図１１に示すように、貫通孔５ａ３及び保護カバー１ｅに設けられた孔１ｅ５（図８参照）に雄ねじＳ５を挿通し、ベース板１ｂに形成された図示しない雌ねじにネジ止めする。図１１では、雄ねじＳ５を一方の孔１ｅ５に挿通した状態を示している。
【００５３】
この構造により、図９に示すように、液晶モジュールのフレーム１ｊの外側面とＦカバー２の額縁部２ｃの側部２ｅにおける内面２ｅ１の縁部との距離Ｄ２を、短ブラケット５の板厚に若干の余裕を加えた程度の極めて狭い距離とすることができるので、額縁の幅ＷＬ（ＷＲも対称につき同様）を、より狭くすることができる。
また、短ブラケット５の第２曲げ部５ｃを、基部５ａに対する優角θを、９０°＋α°としてＦカバー２の内面の傾斜に沿うようにしているので、無駄なスペースが生じることなく、距離Ｄ２をより小さくすることができる。
【００５４】
図１３は、長ブラケット６の固定構造を説明するための平面図である。
この図１３に示すように、長ブラケット６は、ベース板１ｂの台座部１ｆに形成されたダボ１ｆ１（図７参照）に、長孔６ｅが係合した状態で、上述のように長孔６ｅに沿った方向（図１３の矢印Ｄｓ２方向）にスライド可能とされている。
そして、そのスライド動作により、長ブラケット６は、そのスリット６ｄ１及び舌片部６ｃ３が、Ｆカバー２の額縁部２ｃにおける天部２ｆの内面に内方に突出するように形成されたリブ２ｆ５，２ｆ６にそれぞれ係合して、正面−背面方向（図１３における紙面直交方向）の位置が規制される。
【００５５】
そして、この係合の後、雄ねじＳ６（図１３に図示せず）を貫通孔６ａ３に挿通し、ベース板１ｂの台座部１ｆに形成された雌ねじ１ｆ２（図７参照）にネジ止めして、長ブラケット６をベース板１ｂに固定する。
【００５６】
この構造により、液晶モジュール１のフレーム１ｊの天面とＦカバー２の額縁部２ｃの天部２ｆの内面２ｆ２との距離Ｄ３を、長ブラケット６の板厚に若干の余裕を加えた程度の極めて狭い距離とすることができるので、額縁の幅ＷＴ（図１参照）を、より狭くすることができる。
【００５７】
図１４は、角ブラケット７の固定構造を説明するための平面図である。
図１４に示すように、角ブラケット７は、保護カバー１ｅに形成されたダボ１ｅ４に、長孔７ｅが係合した状態で、上述のように長孔７ｅに沿った方向（図の矢印Ｄｓ方向）にスライド可能とされている。
そして、図１５に示すように、そのスライド動作により、角ブラケット７は、そのスリット７ｄが、Ｆカバー２の額縁部２ｃにおける側部２ｅの上方の内面に、内方に突出するように形成されたリブ２ｄ２に係合し、正面−背面方向（厚さ方向）の位置が規制される
（図１５は、図１４における額縁部２ｃ及び角ブラケット７について右下方向から見た斜視図である）。
【００５８】
一方、同じスライド動作により、角ブラケット７は、そのスリット７ｉが、Ｆカバー２の額縁部２ｃにおける天部２ｆの内面に内方に突出するように形成されたリブ２ｆ１に係合し、正面−背面方向（厚さ方向）の位置が規制される。
リブ２ｆ１は、スリット７ｉが入り込む厚さ方向に延在する縦リブ２ｆ１ａと、角ブラケット７の第５折り曲げ部７ｈの上面７ｈｔ（図５参照）と当接して角ブラケット７が外れるのを防止する横リブ２ｆ１ｂとを有して形成されている。
【００５９】
各スリット７ｄ，７ｉと各リブ２ｄ，２ｆ１とのそれぞれの係合により、特に画面サイズが大型の表示パネルを有する液晶表示装置において生じ易い、Ｆパネル２の隅部の変形を、抑え込むことができる。
【００６０】
繰り返しとなるが、図１１において、短ブラケット５については、スリット５ｄをリブ２ｄに係合させたら、貫通孔５ａ３及び保護カバー１ｅに設けられた孔１ｅ５に雄ねじＳ５を挿通し、ベース板１ｂに形成された図示しない雌ねじにネジ止めする。
この構造により、図９に示すように、液晶モジュール１のフレーム１ｊの側面とＦカバー２の額縁部２ｃの側部２ｅにおける内面２ｅ１の縁部との距離Ｄ２を、短ブラケット５の板厚にリブ２ｄの肉厚と若干の余裕とを加えた程度の極めて狭い距離とすることができるので、額縁の幅ＷＬ（ＷＲ）（図１参照）を、より狭くすることができる。
【００６１】
また、図１４に示すように、角ブラケット７については、スリット７ｄ及びスリット７ｉを、それぞれリブ２ｄ２及びリブ２ｆ１に係合させたら、貫通孔７ａ３に雄ねじＳ７を挿通し、ベース板１ｂに形成された図示しない雌ねじにネジ止めする。
この構造により、図１３に示すように、液晶モジュール１のフレーム１ｊの天面１ｊ２とＦカバー２の額縁部２ｃの天部２ｆの内面２ｆ２との隙間Ｄ３を、角ブラケット７の板厚にリブ２ｄ２，２ｆ１の肉厚と若干の余裕とを加えた程度の極めて狭い隙間とすることができるので、額縁の幅ＷＴ（図１参照）を、より狭くすることができる。
【００６２】
短ブラケット５，長ブラケット６，及び角ブラケット７をベース板１ｂにネジ止めしたら、短ブラケット５，長ブラケット６，及び角ブラケット７に設けた雌ねじ５ａ２，６ａ２，７ａ２に対して、雄ねじＳ３をＲカバー３の貫通孔３ｃに挿通してねじ込むことで、Ｒカバー３を液晶モジュール１に固定する。
【００６３】
ここで、図９に示すように、貫通孔３ｃは、Ｒカバー３に設けられた座ぐり部３ｚ内に設けられている。
座ぐり部３ｚは、空間ＫＳを設けたことにより、その空間Ｓに進入して形成することができている。
そして、雄ねじＳ３を締結した状態で、そのねじ頭Ｓ３ｔは、座ぐり部３ｚ内に収容される。
従って、雄ねじＳ３のねじ頭Ｓ３ｔは、Ｒカバー３の基準背面３ｂｆから背面側に突出することはなく、薄型化の妨げになることがない。
【００６４】
以上の構造により、液晶モジュール１は、Ｆカバー２に対しては、短ブラケット５，長ブラケット６，及び角ブラケット７とリブ２ｄ，２ｄ２，２ｆ１，２ｆ５，２ｆ６との係合のみで一体化されると共に、Ｒカバー３に対しては、短ブラケット５，長ブラケット６，及び角ブラケット７を介してネジ止めにより一体化される。
【００６５】
各リブ２ｄ，２ｄ２，２ｆ１，２ｆ５，２ｆ６の先端角部には面取りＣが設けられている。
この面取りＣにより、Ｆパネル２に液晶モジュール１を収める際の誘導が行われ、液晶モジュール１を所定の位置に容易に収めることができる。
【００６６】
また、各リブ２ｄ，２ｄ２，２ｆ１，２ｆ５，２ｆ６の高さは、その先端がフレーム１ｊと略当接する程度に設定されている。
これにより、Ｆカバー２に対する液晶モジュール１の収容位置が精度よく決定されるので、量産において、開口窓２ａに対する画像表示位置のばらつきが極めて小さい画像表示装置５０を提供することができる。
【００６７】
また、Ｆカバー２の側面を指などで押し込んだときに、リブ２ｄ，２ｄ２，２ｆ５，２ｆ６が直ちにフレーム１ｊに当接してその変形が規制されるので、剛性感のある極めて質の高い筐体４を得ることができる。
【００６８】
また、短ブラケット５，長ブラケット６，及び角ブラケット７において、基部に対して約４５°の角度となる曲げ部５ｂ，６ｂ，７ｆを設けたので、図９に示すように、Ｒカバー３の側面３ｍに、背面側にすぼまる傾斜をつけることが可能になっている。
これにより、表示パネル部５０Ａをよりスリムに見せるという外観デザイン上の効果を得ることができる。
【００６９】
各部材の材料は、例えば以下の通りである。もちろん、これに限定されるものではない。
Ｆカバー２，Ｒカバー３，及び保護カバー１ｅ：ＡＢＳ樹脂
各ブラケット５〜７：亜鉛メッキ鋼板（ｔ１．０）
ゴムスペーサ１ｈ：シリコンゴム
ベース板１ｂ及びフレーム１ｊ：ＳＰＣＣ（ｔ１．５）
【００７０】
各部材の寸法は、例えば以下の通りである。もちろん、これに限定されるものではない。
（図１において）
厚さＴＫ：３９ｍｍ
額縁部の幅  ＷＬ＝ＷＲ＝ＷＴ：２３ｍｍ
（図９において）
範囲ＡＲ１：３２．５ｍｍ
範囲ＡＲ２：１４．５ｍｍ
範囲ＡＲ３：９．５ｍｍ
距離Ｄ１：２３．３ｍｍ
距離Ｄ２：５．０ｍｍ
距離Ｄ３：５．０ｍｍ
保護カバー１ｅの段差Ｄ４：５．６ｍｍ
保護カバー１ｅの長手方向の長さＬｃ：５５０ｍｍ
【００７１】
以上、詳述したように、液晶モジュール１において、インバータ基板１ｄを液晶モジュール１の左右側面から内側に入り込んだ位置にその基板外縁が位置するように配置することで、インバータ基板１ｄの左右方向の外側にインバータ基板１ｄの厚さ分の空間ＫＳを形成することができる。
この空間ＫＳは、概ね、図８に示す保護カバー１ｅの長手方向の長さＬｃと、段差部１ｅ３の段差Ｄ４と、低段部１ｅ２の範囲ＡＲ２と、を３辺とする直方体になる。従って、その体積Ｖは、Ｖ＝Ｌｃ×Ｄ４×ＡＲ２である。
【００７２】
この空間ＫＳに、液晶モジュール１を筐体４に固定するための固定手段を配置することで、筐体４の厚さをインバータ基板１ｄが配設されている位置の厚さよりも厚くしなくても済むので、筐体の厚みを薄くすることができる。
【００７３】
固定手段を、板金を折り曲げてスリット５ｄ，６ｄ１，７ｄを有する固定具（各ブラケット５〜７）とし、この固定具５〜７を上記空間ＫＳに配置して液晶モジュール１に固定すると共に、筐体４から内向きに突出するリブ２ｄ，２ｄ２，２ｆ１，２ｆ５，２ｆ６を設けてそれぞれに対応する固定具５〜７のスリット５ｄ，６ｄ１，７ｄと係合させて固定する構造とすることで、液晶モジュール１の外面と筐体４の内面との隙間を、固定具５〜７の厚さに匹敵する程度の狭い空間で足りるようにしている。
【００７４】
これにより、額縁部２ｃの幅ＷＬ，ＷＲ，ＷＴを極めて小さくすることができ、結果として、筐体４の薄型化と狭額縁化とを両立して実現することができている。
【００７５】
本発明の実施例は、上述した構成及び手順に限定されるものではなく、本発明の要旨を逸脱しない範囲において変形例としてもよいのは言うまでもない。
角ブラケット７は、必ずしも使用しなくてもよいが、例えば４２型以上のいわゆる大画面の表示パネルを有する画像表示装置に用いると、そのＦカバー２の変形を効果的に抑えることができるので大変有効である。
実施例において、画像表示装置が台座部を有する例を説明したが、例えば壁掛装置のように、台座部を備えずに、表示パネル部のみ備える画像表示装置であってもよい。
実施例は、画面サイズが４６型のものとして説明したが、画面サイズは限定されるものではない。
実施例では、表示モジュールとして液晶モジュールを説明したが、液晶を用いるものに限らず、有機ＥＬ（エレクトロルミネッセンス）などを用いた表示モジュールであってもよい。
また、実施例では、液晶を用い、その光源として線状光源のＣＣＦＬを使用した例を説明したが、線状光源のＥＥＦＬなどの別の光源についても同様に適用できる。また、ＥＥＦＬを用いてインバータ基板の面積がＣＣＦＬを用いた場合よりも小さくなっていても、実施例を適用することができる。
また、基板は実施例で説明したインバータ基板に限るものではなく、他の回路基板であってもよい。
また、光源がＣＣＦＬではなく、実施例で説明したＣＣＦＬワイヤがない場合、保護カバーは、輸送時やサービス作業時などに基板を保護する目的で設けられるが、その場合にも空間ＫＳが同様に形成できる。
従って、空間ＫＳに、表示モジュール１を筐体４に固定するための固定手段を配置することで、筐体４の厚さをインバータ基板１ｄが配設されている位置の厚さよりも厚くしなくても済むので、筐体の厚みを薄くすることができる、という本発明の技術思想は同様に適用できる。
また、表示モジュールの左右以外の上下端部付近に基板がある場合にも実施例で説明した表示モジュールの固定構造を適用することが可能である。
【図面の簡単な説明】
【００７６】
【図１】本発明の画像表示装置の実施例を示す斜視図である。
【図２】本発明の画像表示装置の実施例における表示パネル部の構造を説明するための分解斜視図である。
【図３】本発明の表示モジュールの固定構造の実施例に用いる第１の部材を説明するための斜視図である。
【図４】本発明の表示モジュールの固定構造の実施例に用いる第２の固定部材を説明するための斜視図である。
【図５】本発明の表示モジュールの固定構造の実施例に用いる第３の固定部材を説明するための斜視図である。
【図６】本発明の表示モジュールの実施例を説明するための斜視図である。
【図７】図６の部分拡大図である。
【図８】本発明の表示モジュールの実施例に用いる要部材を説明するための斜視図である。
【図９】本発明の画像表示装置の実施例を説明するための部分断面図である。
【図１０】本発明の画像表示装置の実施例を説明するための部分断面図である。
【図１１】本発明の表示モジュールの固定構造の実施例を説明するための平面図である。
【図１２】本発明の表示モジュールの固定構造の実施例を説明するための斜視図である。
【図１３】本発明の表示モジュールの固定構造の実施例を説明するための他の平面図である。
【図１４】本発明の表示モジュールの固定構造の実施例を説明するためのさらに他の平面図である。
【図１５】本発明の表示モジュールの固定構造の実施例を説明するための他の斜視図である。
【図１６】従来の表示モジュールを説明するための斜視図である。
【符号の説明】
【００７７】
１  液晶モジュール（表示モジュール）
１ａ  画像表示面
１ｂ  ベース板
１ｂ１  長孔
１ｃ  ＣＣＦＬ
１ｃ１  電極
１ｄ  基板（インバータ基板）
１ｄ１  トランス
１ｅ  保護カバー
１ｅ１  高段部
１ｅ２  低段部
１ｅ３  段差部
１ｅ４  ダボ
１ｅ５  孔
１ｅ９  孔
１ｆ  台座部
１ｆ１  ダボ
１ｆ２  雌ねじ
１ｇ  ＣＣＦＬワイヤ
１ｈ  ゴムスペーサ
１ｈ１  ワイヤサポータ
１ｉ  コネクタ
１ｊ  フレーム
２  Ｆカバー（フロントカバー）
２ａ  開口窓
２ｂ  基準正面
２ｃ  額縁部
２ｄ，２ｄ２，２ｆ１，２ｆ５，２ｆ６  リブ
２ｅ  側部
２ｅ１  内面
２ｆ  天部
２ｆ１，２ｆ５，２ｆ６  リブ
３  Ｒカバー（リアカバー）
３ａ  突出部
３ｂ  基準背面部
３ｂｆ  基準背面
３ｃ  貫通孔
３ｍ  側面
３ｚ  座ぐり部
４  筐体
５  短ブラケット
５ａ  基部
５ａ１  突き出し部
５ａ２  雌ねじ
５ａ３  貫通孔
５ｂ  第１曲げ部
５ｃ  第２曲げ部
５ｄ  スリット（切り込み部）
５ｅ  長孔
６  長ブラケット
６ａ  基部
６ａ２  雌ねじ
６ａ３  貫通孔
６ｂ  第１曲げ部
６ｂｔ  端面
６ｃ（６ｃ１，６ｃ２）  第２曲げ部
６ｃ３  舌片部
６ｄ１  スリット
６ｅ  長孔
７  角ブラケット
７ａ  基部
７ａ１  突き出し部
７ａ２  雌ねじ
７ａ３  貫通孔
７ｂ  第１曲げ部
７ｃ  第２曲げ部
７ｄ，７ｉ  スリット
７ｅ  長孔
７ｆ  第３曲げ部
７ｇ  第４曲げ部
７ｈ  第５曲げ部
１１  光拡散パネルアッセンブリ
１２  液晶表示パネル
５０  画像表示装置
５０Ａ  表示パネル
５０Ｂ  台座部
Ｓ３，Ｓ５，Ｓ６  雄ねじ
Ｓ３ｔ  頭部
ＫＳ  空間
ＴＫ  厚さ
ＷＴ，ＷＬ，ＷＲ  （額縁部の）幅
【図１】
0005109944.tif 000002
【図２】
0005109944.tif 000003
【図３】
0005109944.tif 000004
【図４】
0005109944.tif 000005
【図５】
0005109944.tif 000006
【図６】
0005109944.tif 000007
【図７】
0005109944.tif 000008
【図８】
0005109944.tif 000009
【図９】
0005109944.tif 000010
【図１０】
0005109944.tif 000011
【図１１】
0005109944.tif 000012
【図１２】
0005109944.tif 000013
【図１３】
0005109944.tif 000014
【図１４】
0005109944.tif 000015
【図１５】
0005109944.tif 000016
【図１６】
0005109944.tif 000017